(57)【要約】【課題】筐体に設けられた複数の挿入口をまとめて覆う蓋体を外したものとしても、塵埃の侵入を確実に防止できるようにする。【解決手段】コネクタ装置が、第１筐体１の側面１ｄに設けられ、部材を受け入れる第１挿入口１ｇと、第１筐体１の側面１ｄに設けられ、部材を受け入れる第２挿入口１ｊと、第１挿入口１ｇを開閉し、第１挿入口１ｇを閉塞した状態で第１挿入口１ｇを密閉する第１蓋体６１と、第１挿入口１ｇ及び第２挿入口１ｊを開閉し、第１蓋体６１が第１挿入口１ｇを閉塞した状態で第１蓋体６１及び第２挿入口１ｊを覆う第２蓋体６２と、を備える。【選択図】図２７
2010267385.tif 000002
【特許請求の範囲】
【請求項１】
筐体の表面に設けられ、部材を受け入れる第１挿入口と、
前記筐体の表面に設けられ、部材を受け入れる第２挿入口と、
前記第１挿入口を開閉し、前記第１挿入口を閉塞した状態で前記第１挿入口を密閉する第１蓋体と、
前記第１挿入口及び前記第２挿入口を開閉し、前記第１蓋体が前記第１挿入口を閉塞した状態で前記第１蓋体及び前記第２挿入口を覆う第２蓋体と、を備えることを特徴とするコネクタ装置。
【請求項２】
前記筐体の表面であって前記第２挿入口の周辺に設けられた凹部を更に備え、
前記第１挿入口が前記凹部内に設けられ、
前記第１挿入口の一内壁面と前記凹部の一内壁面とが面一になっており、
前記第１蓋体が前記凹部に嵌められた状態で前記第１挿入口を密閉することを特徴とする請求項１に記載のコネクタ装置。
【請求項３】
前記第２挿入口が、部材としてのコネクタを受け入れるコネクタ挿入口であることを特徴とする請求項１又は２に記載のコネクタ装置。
【請求項４】
請求項１から３の何れか一項に記載のコネクタ装置を筐体に備えることを特徴とする電子機器。
【発明の詳細な説明】
【技術分野】
【０００１】
本発明は、コネクタ装置及び電子機器に関する。
【背景技術】
【０００２】
特許文献１に記載されているように、デジタルカメラの筐体（３３，３４，３５）の側面に、メモリーカード用の挿入口（４１ａ）、ビデオ出力端子用の挿入口（４１ｇ）及びＵＳＢ端子用の挿入口（４１ｈ）が設けられており、これら挿入口が１つの蓋体（３８）によって覆われる。これら挿入口が蓋体によって覆われることによって、塵埃や水の侵入を防止することができる。
【０００３】
また、メモリーカード用の挿入口（４１ａ）の近傍には、メモリーカードの抜け防止用の蓋（３９）が設けられ、その挿入口にメモリーカードが挿入されると、抜け防止用の蓋が挿入口の一部を覆ってメモリーカードに当接することによって、メモリーカードが抜けないようになっている。
【先行技術文献】
【特許文献】
【０００４】
【特許文献１】特開２００４−２１４９７３号公報
【発明の概要】
【発明が解決しようとする課題】
【０００５】
ところで、ＵＳＢ端子やビデオ出力端子用を挿入口に差し込むべく、蓋体を外すと、抜け防止用の蓋によってメモリーカード用の挿入口が密閉されていないので、メモリーカード用の挿入口に塵埃が侵入してしまう。
【０００６】
そこで、本発明の課題は、筐体に設けられた複数の挿入口をまとめて覆う蓋体を外したものとしても、塵埃の侵入を確実に防止できるようにすることである。
【課題を解決するための手段】
【０００７】
以上の課題を解決するために、請求項１に係る発明によれば、コネクタ装置が、筐体の表面に設けられ、部材を受け入れる第１挿入口と、前記筐体の表面に設けられ、部材を受け入れる第２挿入口と、前記第１挿入口を開閉し、前記第１挿入口を閉塞した状態で前記第１挿入口を密閉する第１蓋体と、前記第１挿入口及び前記第２挿入口を開閉し、前記第１蓋体が前記第１挿入口を閉塞した状態で前記第１蓋体及び前記第２挿入口を覆う第２蓋体と、を備えることとした。
【０００８】
請求項２に係る発明によれば、請求項１において、前記コネクタ装置が、前記筐体の表面であって前記第２挿入口の周辺に設けられた凹部を更に備え、前記第１挿入口が前記凹部内に設けられ、前記第１挿入口の一内壁面と前記凹部の一内壁面とが面一になっており、前記第１蓋体が前記凹部に嵌められた状態で前記第１挿入口を密閉することとした。
【０００９】
請求項３に係る発明によれば、請求項１又は２において、前記第２挿入口が、部材としてのコネクタを受け入れるコネクタ挿入口であることとした。
【００１０】
請求項４に係る発明によれば、電子機器が、請求項１から３の何れか一項に記載のコネクタ装置を筐体に備えることとした。
【発明の効果】
【００１１】
本発明よれば、第２蓋体による覆いを外しても、第１蓋体によって密閉された第１挿入口に塵埃が侵入することを確実に防止することができる。
【図面の簡単な説明】
【００１２】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図１の折り畳み状態の携帯電話を他端側から見た拡大図である。
【図１０】図２の縦方向開放状態での画面とカメラの方向を示した図である。
【図１１】図１０と反対側から見た図である。
【図１２】図１０と反対側でバンパー部も示した図である。
【図１３】図８のヒンジユニットの縦方向開放状態に対応した図である。
【図１４】図３の横方向開放状態でのブックスタイルを示した図である。
【図１５】図８のヒンジユニットのブックスタイルに対応した図である。
【図１６】図４のムービースタイルでの画面とカメラの方向を示した図である。
【図１７】図１６の上方向から見た平面図である。
【図１８】図１６のムービースタイルでの反対側から見た持ち方を示した図である。
【図１９】図８のヒンジユニットのムービースタイルに対応した図である。
【図２０】図１の携帯電話の背面、側面を示した斜視図である。
【図２１】図２０の携帯電話から蓋体を外した状態を示した斜視図である。
【図２２】図２１の携帯電話から別の蓋体を外した状態を示した斜視図である。
【図２３】図２２の携帯電話の要部を拡大して示した図面である。
【図２４】図２０の携帯電話の筐体の長手方向に垂直な面の部分断面図である。
【図２５】図２０の携帯電話の要部を拡大して示した斜視図である。
【図２６】図２０の携帯電話から蓋体を外した状態を示した拡大斜視図である。
【図２７】図２０の携帯電話から２つの蓋体を外した状態を示した拡大斜視図である。
【図２８】蓋体をスライド式に変更した変形例を示した拡大斜視図である。
【発明を実施するための形態】
【００１３】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１４】
（実施形態）
図１から図４は本発明を適用した携帯機器の一実施形態の構成として携帯電話を示したもので、１は第１筐体、２は第２筐体、３は第３筐体、４は操作部、５は表示部、６はアンテナ、７は入力部（撮影部）、８は照明部である。
【００１５】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３には入力部としての撮影部７及び照明部８が設けられている。
【００１６】
図５及び図８は第３筐体３の内部に組み込まれる２軸ヒンジユニット１０を示したもので、１１は第１回転軸、１２は第２回転軸、１３は第３筐体３のフレーム、２１は第１取付部材、２２は第２取付部材である。
【００１７】
２軸ヒンジユニット１０は、図示のように、左右一対の第１回転軸１１と、右側の第２回転軸１２と、中央の第３筐体３のフレーム１３と、第１回転軸１１の各々に設けた左右一対の第１取付部材２１と、第２回転軸１２に設けた第２取付部材２２とから構成される。
【００１８】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００１９】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２０】
図６は第１配線３１及び第２配線３２を示し、図７は２軸ヒンジユニット１０と第１配線３１及び第２配線３２を組み合わせた図である。
【００２１】
すなわち、第１配線３１は、第１筐体１内の基板に接続されるコネクタ３１ａを一端に備えて第３筐体３内の基板に接続されるコネクタ３１ｃを他端に備えるもので、図７において右側の第１回転軸１１の中空部内に通されている。
【００２２】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００２３】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２４】
図９は図１の折り畳み状態の携帯電話を他端側から見て拡大したもので、第３筐体３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００２５】
また、図示のように、折り畳み状態において、上ケース３５は第２筐体２の延長上に位置している。この上ケース３５と第２筐体２との一側部の間に第２回転軸１２が貫通して、これにより、第２筐体２は第３筐体３に対し一側部の第２回転軸１２を中心に横方向に開閉可能である。
【００２６】
そして、下ケース３４の上部左右には、上ケース３５の開放部を閉じる突出部が形成されており、この突出部の下面にゴム等の柔らかい材質の緩衝材によるバンパー２３が設けられている。
【００２７】
さらに、下ケース３４の突出部と上ケース３５の側面との間に、ロック解除ボタン２４が組み付けられている。このロック解除ボタン２４のスライド操作により、第３筐体３の端面から突出する方向にバネで付勢されて、第２筐体２の端面に形成された凹部（不図示）に係合するロック爪（不図示）を後退させてロックが解除される。
【００２８】
先ず、図１及び図９は第１筐体１上に第１筐体２及び第３筐体３を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００２９】
次に、図２及び図１０から図１２は第１筐体１に対し第２筐体２及び第３筐体３を、第１回転軸１１を中心に縦方向に開放した通常オープンスタイルを示したもので、図１０及び図１１において、矢印Ａで示す方向は撮影部７の向きを示し、矢印Ｂで示す方向は表示部５の画面の向きを示している。そして、図１３はその通常オープンスタイルに対応した２軸ヒンジユニット１０を示したものである。すなわち、フレーム１３に対し第１取付部材２１と第２取付部材２２が互いに反対方向に向いている。
【００３０】
以上の通常オープンスタイルにおいて、第１筐体１に対し第２筐体２及び第３筐体３を、第１回転軸１１を中心に縦方向に開く際に、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されている。
【００３１】
次に、図３及び図１４は第１筐体１及び第３筐体３に対し第２筐体２を、第２回転軸１２を中心に横方向に開放して表示部５を横長としたブックスタイルを示したもので、図１５はそのブックスタイルに対応した２軸ヒンジユニット１０を示したものである。すなわち、折り畳み状態時におけるフレーム１３及び第１取付部材２１に対し第２取付部材２２が一側方に向いている。
【００３２】
次に、図４及び図１６から図１８は第１筐体１に対し第２筐体２及び第３筐体３を、第１回転軸１１を中心に９０度回転して表示部５を横長としたムービースタイルを示したもので、図１６及び図１７において、矢印Ａで示す方向は撮影部７の向きを示し、矢印Ｂで示す方向は表示部５の画面の向きを示している。そして、図１９はそのムービースタイルに対応した２軸ヒンジユニット１０を示したものである。すなわち、折り畳み状態時におけるフレーム１３及び第２取付部材２２に対し第１取付部材２１が直角方向に向いている。
【００３３】
そして、ムービースタイル時においては、図１６から図１８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００３４】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００３５】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する下ケース及び上ケースを合体固定するネジを隠すネジ隠しも兼用する。
【００３６】
以上のムービースタイルにおいて、図１８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００３７】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００３８】
次に、以上のムービースタイル時において、撮影部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００３９】
そして、第２筐体２を第３筐体３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００４０】
以上において、ブックスタイル時には、図３及び図１４に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００４１】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００４２】
次に、コネクタ装置について説明する。
図２０は、折り畳み状態の携帯電話を背面側から見て示した斜視図である。図２０に示すように、第１筐体１には、第２蓋体６２が取り付けられている。
【００４３】
図２１は、第２蓋体６２を第１筐体１から取り外した状態の携帯電話を示した斜視図である。図２１に示すように、第１筐体１には、ゴム弾性体からなる第１蓋体６１が取り付けられ、第１蓋体６１が第２蓋体６２によって覆われる。
【００４４】
図２２は、第１蓋体６１及び第２蓋体６２を第１筐体１から取り外した状態の携帯電話を示した斜視図である。図２３は、第１蓋体６１及び第２蓋体６２によって覆われる部分を拡大して示した図面である。図２４は、第１蓋体６１及び第２蓋体６２を第１筐体１に取り付けた状態において、第１筐体１の背面１ｃ及び側面１ｄに垂直な断面を示したものである。図２５は、第２蓋体６２によって第１蓋体６１を覆った状態を示した図面である。図２６は、第２蓋体６２を外した状態を示した図面である。図２７は、第１蓋体６１及び第２蓋体６２を外した状態を示した図面である。
【００４５】
図２０〜図２７に示すように、第１筐体１の背面１ｃから側面１ｄにかけて第１凹部１ｅが形成されている。第１凹部１ｅは、第１筐体１の長手方向に沿って長尺に設けられている。
第１凹部１ｅ内であって第１筐体１の背面１ｃ寄りには、第２凹部１ｆが形成されている。第２凹部１ｆは、第１凹部１ｅの長手方向に沿って長尺に設けられている。
第２凹部１ｆ内には、第１挿入口１ｇが形成されている。この第１挿入口１ｇが第１筐体１の内側まで貫通している。この第１挿入口１ｇは、第１凹部１ｅ及び第２凹部１ｆの長手方向に沿って長尺に設けられている。また、第１挿入口１ｇの一内壁面１ｒが第２凹部１ｆの一内壁面１ｓと面一になっている。
第１凹部１ｅ内であって第１筐体１の正面１ｈ寄りには、第２挿入口１ｊが形成されている。この第２挿入口１ｊが第１筐体１の内側まで貫通している。第２挿入口１ｊは、第１凹部１ｅ及び第１挿入口１ｇの長手方向に沿って長尺に設けられている。
【００４６】
第２挿入口１ｊと第２凹部１ｆが互いに近傍に配置されているとともに、互いに並列されている。第２挿入口１ｊと第１挿入口１ｇが互いに近傍に配置されているとともに、互いに並列されている。
【００４７】
第１挿入口１ｇ内には、第１のレセプタクル６３が設けられている。このレセプタクル６３はＳＤカード用のコネクタであり、第１挿入口１ｇに挿入されたＳＤカードがレセプタクル６３に装着される。第２挿入口１ｊ内には、第２のレセプタクル６４が設けられている。このレセプタクル６４はＨＤＭＩ規格のコネクタであり、第２挿入口１ｊに挿入されたＨＤＭＩ規格のコネクタプラグがレセプタクル６４に装着される。そのため、第２挿入口１ｊが、コネクタ挿入口である。
【００４８】
第１蓋体６１が第２凹部１ｆに嵌め込まれた状態で、第１挿入口１ｇが第１蓋体６１によって閉塞されて密閉される（図２１、図２４、図２６参照）。ＳＤカードが第１挿入口１ｇに挿入され、ＳＤカードが第１のレセプタクル６３に装着された状態であっても、第１蓋体６１を第２凹部１ｆに嵌め込んで、第１挿入口１ｇを第１蓋体６１で密閉することができる。
第１蓋体６１が第２凹部１ｆに嵌め込まれた状態では、第１蓋体６１の表面が第１凹部１ｅの底面と面一になっている。
【００４９】
第１挿入口１ｇの両脇には、ヒンジ挿入穴１ｋ及び係合溝１ｍが形成されている。
一方、第１蓋体６１の裏面には、ゴム弾性片６５が形成され、そのゴム弾性片６５がヒンジ挿入穴１ｋに挿入されて連結され、ゴム弾性片６５がヒンジとして機能する。ゴム弾性片６５がヒンジ挿入穴１ｋに挿入されることで、第１蓋体６１が第１筐体１に取り付けられている。第１蓋体６１を第２凹部１ｆに嵌め込んだり、第１蓋体６１を第２凹部１ｆから外したりしても、第１蓋体６１が第１筐体１から外れない。
また、第１蓋体６１の裏面には、係合突起が形成されている。第１蓋体６１が第２凹部１ｆに嵌め込まれた場合に、その係合突起が係合溝１ｍに係合する。
【００５０】
第２蓋体６２が第１凹部１ｅに嵌め込まれた状態で、第２挿入口１ｊ及び第１挿入口１ｇが第２蓋体６２によって閉塞されて密閉される。また、第１蓋体６１が第２凹部１ｆに嵌め込まれて、第１挿入口１ｇが第１蓋体６１によって密閉された状態であっても、第２蓋体６２を第１凹部１ｅに嵌め込んで、第１蓋体６１を第２蓋体６２で覆って、第２挿入口１ｊを第２蓋体６２で密閉することができる。
第２蓋体６２が第１凹部１ｅに嵌め込まれた状態では、第２蓋体６２の表面が第１筐体１の背面１ｃ及び側面１ｄと面一になっている。
【００５１】
第１凹部１ｅ内には、ヒンジ挿入穴１ｎが形成されている。
一方、第２蓋体６２の裏面には、ゴム弾性片６６が形成され、そのゴム弾性片６６がヒンジ挿入穴１ｎに挿入されて連結され、ゴム弾性片６６がヒンジとして機能する。ゴム弾性片６６がヒンジ挿入穴１ｎに挿入されることで、第２蓋体６２が第１筐体１に取り付けられている。これにより、第２蓋体６２を第１凹部１ｅに嵌め込んだり、第１蓋体６１を第１凹部１ｅから外したりしても、第２蓋体６２が第１筐体１から外れない。
【００５２】
第１凹部１ｅ内には、係合溝１ｐが形成されている。一方、第２蓋体６２の裏面には、係合突起が形成されている。第２蓋体６２が第１凹部１ｅに嵌め込まれた場合に、その係合突起が係合溝１ｐに係合する。
【００５３】
携帯電話の充電やデータ転送等を行う場合には、第２蓋体６２を第１凹部１ｅから外して、第２挿入口１ｊを開く（図２１、図２６参照）。そして、コネクタプラグを第２挿入口１ｊに挿入して、そのコネクタプラグをレセプタクル６４に装着する。これにより、充電・データ転送等を行うことができる。充電・データ転送中に第２蓋体６２が外れていても状態でも、第１挿入口１ｇが第１蓋体６１によって密閉されているから、第１挿入口１ｇに塵埃が侵入することを防止することができる。特に、ＳＤカードを第１挿入口１ｇに挿入した状態でも、第１蓋体６１を第２凹部１ｆに嵌め込んで、第１挿入口１ｇを密閉することができるから、塵埃の侵入を防止しつつ、充電・データ転送中にＳＤカードを使用して、ムービー撮影・ワンセグ干渉を行うことができる。充電・データ転送後、コネクタプラグを第２挿入口１ｊから外し、第２蓋体６２を第１凹部１ｅに嵌め込んで、第２挿入口１ｊを塞ぐ。
【００５４】
ＳＤカードを抜き差しする際には、第２蓋体６２に加えて第１蓋体６１を第２凹部１ｆから外す（図２２、図２７参照）。ＳＤカードの抜き差しが完了したら、第１蓋体６１を第２凹部１ｆに嵌め込んで、第１挿入口１ｇを第１蓋体６１によって密閉し、その後、第２蓋体６２を第１凹部１ｅに嵌め込んで、第２挿入口１ｊを塞ぐ。
【００５５】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともに第３筐体３に収納した筐体構造で、第１筐体１と第２筐体２を縦方向に開放させた場合は、第３筐体３が第２筐体１とともに移動し、また、横方向に開放させた場合には、第３筐体３が第１筐体１とともに移動する構成としたことで、ムービースタイルにして、表示部５の画面を横長で見ながら撮影部７でムービー撮影することができる。
【００５６】
さらに、ムービースタイル時において、撮影部７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００５７】
また、２軸ヒンジユニット１０は、第１回転軸１１及び第２回転軸１２が第３筐体３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００５８】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００５９】
また、第２蓋体６２を第１凹部１ｅから外した状態でも、第１挿入口１ｇが第１蓋体６１によって密閉されているから、第１挿入口１ｇへの塵埃侵入を防止することができる。
また、第１挿入口１ｇの一内壁面１ｒが第２凹部１ｆの一内壁面１ｓと面一になっており、内壁面１ｒ，１ｓがＳＤカードの抜き差し方向に対して平行に設けられているから、ＳＤカードを内壁面１ｒ，１ｓに当てた状態でＳＤカードを滑らすことができ、ＳＤカードを容易に抜き差しすることができる。特に、第１凹部１ｅ内に第２凹部１ｆが形成され、第２凹部１ｆ内に第１挿入口１ｇが形成されているから、第２挿入口１ｊにコネクタプラグを差し込んだ状態でも、ＳＤカードを容易に抜き差しすることができる。また、第１挿入口１ｇが第２凹部１ｆの底で開口しており、第２凹部１ｆの底がＳＤカードの抜き差し方向に対して斜めであるから、ＳＤカードを差し込んだ状態でも、ＳＤカードが一部露出して、ＳＤカードを抜きやすい。
【００６０】
また、第１凹部１ｅ内に第１挿入口１ｇ及び第２挿入口１ｊが形成されているから、第１凹部１ｅが大きくなる。そのため、第２蓋体６２を外した状態では、コネクタプラグを第２挿入口１ｊに挿入しやすい。仮に第１凹部１ｅ内に第１挿入口１ｇを形成せず、第２蓋体６２によって第１蓋体６１を覆わない場合には、第１凹部１ｅが小さくなって、コネクタプラグを第２挿入口１ｊに挿入することができない。そのため、第１蓋体６１によって第２蓋体６２を覆うようにした。
【００６１】
また、第２蓋体６２を第１凹部１ｅ内に嵌め込んで、第１蓋体６１を第２蓋体６２によって覆ったから、第１筐体１の表面におけるデザイン性が向上する。仮に第１凹部１ｅ内に第１挿入口１ｇを形成せず、第２蓋体６２によって第１蓋体６１を覆わない場合には、第２蓋体６２と第１蓋体６１の両方が第１筐体１の表面において露出するから、デザイン性が低い。そのため、第１蓋体６１によって第２蓋体６２を覆うようにした。
【００６２】
また、構造上、第２挿入口１ｊを二重の蓋体で塞ぐような構造とすることができず、仮に第２挿入口１ｊを二重の蓋体で塞ぐようにすると、部品点数が増加してしまう。また、ＳＤカードの抜き差しに要する時間が少ないため、ＳＤカードの抜き差しの際に第２挿入口１ｊが塞がれていなくても、第２挿入口１ｊに塵埃が侵入する可能性は低い。そのため、第２挿入口１ｊを二重の蓋体で塞ぐような構造としていない。
【００６３】
ところで、ＨＤＭＩ規格のコネクタプラグを抜き差しする頻度はＳＤカードを抜き差しする頻度は高いから、第２蓋体６２を開閉する頻度は高くなる。第２蓋体６２を開いても、第１挿入口１ｇが第１蓋体６１によって密閉されているから、第１挿入口１ｇには塵埃が侵入しない。
【００６４】
（他の変形例）
なお、以上の実施形態においては、携帯電話としたが、本発明はこれに限定されるものではなく、ＰＤＡ、ノートパソコン、ウェアラブルパソコン、電卓、電子辞書などで、カメラを有するもの全ての機器に用いることができる。
また、ヒンジケースの入力部は撮影部以外にタッチキー、指紋認証部、その他の入力装置であってもよい。
また、筐体の形状等も任意であり、その他、具体的な細部構造等についても適宜に変更可能であることは勿論である。
また、携帯電話は、いわゆるスライド型のように２つの筐体がスライド機構によって連結されたものでもよいし、いわゆる折り畳み型やリボルバー型のように一軸ヒンジユニットによって２つの筐体が連結されたものでもよいし、いわゆる回転二軸ヒンジ型のように二軸ヒンジユニットによって２つの筐体が連結されたものでもよい。また、いわゆるサイクロイド型であってもよいし、いわゆるストレート型であってもよい。
【００６５】
また、第１挿入口１ｇに挿入される部材は、ＳＤカードに限らず、ＳＤカード以外のメモリーカード、フロッピー（登録商標）ディスク、ＣＤ、ＭＤ、ＤＶＤその他の記憶媒体であってもよい。第１挿入口１ｇに挿入される部材の種類に合わせて、第１挿入口１ｇの大きさ、蓋体６１，６２の大きさ及びレセプタクル６３を変更するのは勿論である。第２挿入口１ｊに挿入される部材は、ＨＤＭＩ規格のコネクタプラグに限らず、イヤホンジャック、ＵＳＢ規格のコネクタプラグであってもよい。第２挿入口１ｊに挿入される部材の種類に合わせて、第２挿入口１ｊの大きさ、蓋体６１，６２の大きさ及びレセプタクル６４を変更するのは勿論である。
【００６６】
また、図２８に示すように、第２蓋体６２が、矢印方向にスライドすることによって開閉するものであってもよい。第１蓋体６１が、スライドすることによって開閉するものであってもよい。蓋体６１，６２のどちらか一方が上記実施形態のように開閉し、他方がスライドすることによって開閉するものとしてもよい。
【００６７】
また、蓋体６１，６２がゴム弾性体であってもよい。蓋体６１，６２がゴム弾性体であると、蓋体６１，６２が僅かに圧縮された状態で凹部１ｅ，１ｆにそれぞれ嵌め込むことができ、止水性が向上する。
また、ゴム弾性体からなるオーリング等の止水材が蓋体６１，６２に設けられていてもよい。また、ゴム弾性体からなるオーリング等の止水材が凹部１ｅ，１ｆにそれぞれ設けられていてもよい。蓋体６１，６２を凹部１ｅ，１ｆにそれぞれ嵌め込むことで、止水材が僅か圧縮され、隙間が止水材によって塞がれて、止水性が向上する。
【符号の説明】
【００６８】
１  第１筐体
１ｃ  背面
１ｄ  側面
１ｇ  第１挿入口
１ｊ  第２挿入口
６１  第１蓋体
６２  第２蓋体
６３  レセプタクル
６４  レセプタクル
【図１】
2010267385.tif 000003
【図２】
2010267385.tif 000004
【図３】
2010267385.tif 000005
【図４】
2010267385.tif 000006
【図７】
2010267385.tif 000007
【図８】
2010267385.tif 000008
【図９】
2010267385.tif 000009
【図１０】
2010267385.tif 000010
【図１１】
2010267385.tif 000011
【図１２】
2010267385.tif 000012
【図１３】
2010267385.tif 000013
【図１４】
2010267385.tif 000014
【図１５】
2010267385.tif 000015
【図１６】
2010267385.tif 000016
【図１７】
2010267385.tif 000017
【図１８】
2010267385.tif 000018
【図１９】
2010267385.tif 000019
【図２０】
2010267385.tif 000020
【図２１】
2010267385.tif 000021
【図２２】
2010267385.tif 000022
【図２３】
2010267385.tif 000023
【図２４】
2010267385.tif 000024
【図２５】
2010267385.tif 000025
【図２６】
2010267385.tif 000026
【図２７】
2010267385.tif 000027
【図２８】
2010267385.tif 000028
【図５】
2010267385.tif 000029
【図６】
2010267385.tif 000030